(57)【特許請求の範囲】
【請求項１】
内部に空間部（１６ａ−１）が形成された長方形の胴体（１６ａ）と、前記空間部（１６ａ−１）の内部に組み込まれる円板状の可動磁石（１５ａ）と、前記胴体（１６ａ）の外側面に設けられて前記可動磁石（１５ａ）と相まって微細電流と磁場を発生するコイル（１７）と、前記胴体（１６ａ）の両先端部に設けられて可動磁石（１５ａ）の抜脱を防ぐカバー（１１）（１２）と、前記コイル（１７）の両先端部に設けられて人体に微細電流刺激を加える刺激部材（１８）（１９）と、を備える微細電流刺激装置（１０）が配備され、
前記微細電流刺激装置（１０）の胴体（１６ａ）は、衣類（６０）の袖（７０）の内部の一方の側に設けられ、前記刺激部材（１８）（１９）は、人体の手首の経穴と皮膚に接触されるように表面に露出されるように設けられていることを特徴とする微細電流刺激装置が内蔵された衣類。
【請求項２】
内部に空間部（１６ｂ−１）が形成された筒状の胴体（１６ｂ）と、前記空間部（１６ｂ−１）の内部に組み込まれる円柱状の可動磁石（１５ｂ）と、前記胴体（１６ｂ）の外側面に設けられて前記可動磁石（１５ｂ）と相まって微細電流を発生するコイル（１７）と、前記胴体（１６ｂ）の両先端部に設けられて前記可動磁石（１５ｂ）の抜脱を防ぐカバー（１１）（１２）と、前記カバー（１１、１２）の一方の側の内面にそれぞれ設けられて前記可動磁石（１５ｂ）の極性と同じ極性を有する固定磁石（１３）（１４）と、前記コイル（１７）の両先端部に設けられて人体に刺激を加える刺激部材（１８）（１９）と、を備える微細電流刺激装置（１０）が配備され、
前記微細電流刺激装置（１０）の胴体（１６ｂ）は、衣類（６０）の袖（７０）の内部に設けられ、前記刺激部材（１８）（１９）は、人体の手首の経穴と皮膚に接触されるように表面が外部に露出されるように設けられていることを特徴とする微細電流刺激装置が内蔵された衣類。
【請求項３】
内部に空間部が形成され、底面が閉止されている胴体（４１）が配備され、前記胴体（４１）の底面には両先端部が刺激部材（１８）（１９）と接続される第１のコイル（４２）が固設され、前記第１のコイル（４２）の上面には可動磁石（４３）が配設され、前記胴体（４１）の先端部の上側には前記磁石（４３）の抜脱を防ぐカバー（４４）が設けられてなる微細電流刺激装置（１０）を備え、
前記微細電流刺激装置（１０）の胴体（４１）は、衣類（６０）の袖（７０）の内部に設けられ、
前記刺激部材（１８）（１９）は、人体の手首の経穴と皮膚に接触されるように表面に露出されるように設けられていることを特徴とする微細電流刺激装置が内蔵された衣類。
【請求項４】
前記胴体（１６ａ）（１６ｂ）の一方の側には、前記コイル（１７）の抜脱を防ぐ凹溝部（１６ｃ）が形成されていることを特徴とする請求項１または請求項２に記載の微細電流刺激装置が内蔵された衣類。
【請求項５】
前記可動磁石（１５ａ）（１５ｂ）（４３）とコイル（１７）（４２）とが相まって１０〜２００μＡの微細電流を発生することを特徴とする請求項１から請求項３のいずれかに記載の微細電流刺激装置が内蔵された衣類。
【請求項６】
前記刺激部材（１８）（１９）は、０．０１〜０．５ｍｍ厚さの導電性材質からなる板状の導電性シート（５１）が配備され、前記導電性シート（５１）の上面に人体の手首の皮膚と接触される接触突起（５２）が突設されていることを特徴とする請求項１から請求項３のいずれかに記載の微細電流刺激装置が内蔵された衣類。
【請求項７】
前記刺激部材（１８）（１９）は、０．０１〜０．５ｍｍ厚さの導電性材質からなる、繊維状に製織されてなる導電性網（５３）が配備され、前記導電性網（５３）の上面に人体の手首の皮膚と接触される接触突起（５２）が突設されていることを特徴とする請求項１から請求項３のいずれかに記載の微細電流刺激装置が内蔵された衣類。
【請求項８】
前記カバー（４４）の内側面に第２のコイル（４５）が固設されることを特徴とする請求項３に記載の微細電流刺激装置が内蔵された衣類。
【発明の詳細な説明】
【技術分野】
【０００１】
本発明は、微細電流刺激装置が内蔵された衣類に係り、さらに詳しくは、人体の手首の皮膚と直接的に接触がなされるシャツなどの上着の袖に人間が動いたり歩いたりして揺れが発生する場合、可動磁石と固定コイルとが相まって微細電流と磁場を半永久的に発生する微細電流刺激装置を内設して手首筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立つ、微細電流刺激装置が内蔵された衣類に関する。
【背景技術】
【０００２】
近年、コンピュータユーザーや、ネイル業、小売業に携わる者のように手と腕の過度な使用によって発生する反復性緊張性損傷の代表的な疾患として、手首の筋肉神経を押し付ける神経病症を意味する手首痛症を訴える者が増えており、漢方医学において手首の経穴と痛点を刺激して治療の効果が得られることが知られている（韓国日報：２００９年０１月２９日）。
【０００３】
特に、最近には、人体に微細電流の刺激を加えると、種々の有益な効能が得られるということが広く知られており、これに伴い、この分野に関する研究が盛んになされている。
【０００４】
すなわち、人体には、生体電流という微弱（微細）な電流が流れるが、この電流によって、大脳と臓器機関は互いに情報をやり取りして健康を維持する役割を果たしており、健康が悪化すれば生体電流も弱くなり、しかも、不安定になるだけではなく、微細電流が新陳代謝と血液の循環を盛んにし、結果として、自然治癒力を高める機能があることが知られている。
【０００５】
また、適正な微細電流（約０．０６ｍＡ）は、血液の弱アルカリ性、血管の拡張、血圧の正常化、利尿作用の促進、脈拍の正常化、心臓強化、コラーゲン合成率の増加、白血球の移動促進、殺菌効果、細菌成長の抑制、大腸菌成長の抑制、微細血管の血液循環の増進、タンパク質合成能力の促進、治療速度の２倍増加、疲労回復の促進、自律神経の安定化、発育促進、水分浄化、消臭の効能があることが既に判明されている（Ｂｏｒｇｅｎｓら；Ｂａｒｋｅｒ、ＪａｓｆｆｅおよびＶａｎａｂｌｅ、１９８２；Ｂｏｒｇｅｎｓら、１９８０）（大韓物理治療学会誌第１６券第３号）（韓国専門物理治療学会誌第３券第１号）（大韓物理治療学会誌第６券第１号、江南聖母病院神経外科イ・テギュ、金・ムンチャン教授チームの研究発表論文）。
【０００６】
他の例として、金・ジュン整形外科、クォン・オナン大丘大学再活科学大学物理治療学科、朴・レジュン大丘保健大学物理治療学科、朴・ユンギ全南科学大学物理治療学科、ファン・テヨンらによる微細電流に関する多くの臨床研究（Ａｌｏｎ、１９８６；Ｂａｒｒｏｎ１９８５；Ｃａｒｌｅｙ、Ｗａｉｎａｐｅｌ、１９８５）と動物実験（Ａｌｖａｒｅ、１９８３；Ｂｏｕｒｇｕｉｇｒｏｎ、１９８７；Ｃｈｅｎｇ、１９８２；Ｓｕｚｕｋｉ、１９８６）を参酌すると、微細電流刺激が組織治癒と修復過程を活性化させるということが分かり、組織または培養細胞を用いた研究は、細胞内のＡＴＰ再合成、タンパク質合成、およびＤＮＡ複製比率が直接的な電気刺激によって高まることを裏付けている。
【０００７】
かような微細電流刺激の効果は、痛症緩和（活動電位の伝播を直接的に遮断して痛症を減少させる）、浮腫減少（体液の移動によって浮腫が減少する）などの効果につながり、大きく、筋肉に対する電気刺激の効果と代謝作用の変化および血管の変化に分けられる。
【０００８】
すなわち、筋肉に対する微細電流刺激の効果としては、筋肉は神経細胞を通じた電気刺激によって動き、電気治療器で筋肉の表面に刺激を与えて所定量の電気が流入すれば、すなわち、筋萎縮（筋肉が消耗されて大きさが減っている状態）の進行を遅らせることができ、収縮と弛緩の繰り返し作用によって運動効果が得られ、しかも、協力筋も活性化される。
【０００９】
上記の代謝作用の変化としては、刺激を受けた筋肉は乳酸が減少されるなど疲労をあまり感じず、酵素の変化によって酸化酵素の活動を防ぐことができるということなどが実験によって裏付けられており、血管の変化としては、筋肉における毛細血管の分布が増加するに伴い、抹消血管が拡張されて血流増進に役立つということが発表されている（大丘大学再活科学大学物理治療学科教授理学博士朴・レジュン−脈動電子場エネルギーの微細電流が家兎の傷治癒に及ぼす影響−大韓物理治療学会誌第１２券第３号）。
【発明の概要】
【発明が解決しようとする課題】
【００１０】
本発明は、上述したように、人体に微細電流の刺激を加える場合に有益な効能が得られることを用いたものであり、人体の手首の皮膚と直接的に接触がなされるシャツなどの上着の袖に人間が動いたり歩いたりして揺れが発生する場合、可動磁石と固定コイルとが相まって微細電流と磁場を半永久的に発生する微細電流刺激装置を内設して、手首の経穴と痛点および皮膚に微細電流刺激を加えて、手首筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立つ、微細電流刺激装置が内蔵された衣類を提供するところにその目的がある。
【課題を解決するための手段】
【００１１】
本発明は、内部に空間部が形成された長方形の胴体と、前記空間部の内部に組み込まれる円板状の可動磁石と、前記胴体の外側面に設けられて前記可動磁石と相まって微細電流と磁場を発生するコイルと、前記胴体の両先端部に設けられて可動磁石の抜脱を防ぐカバーと、前記コイルの両先端部に設けられて人体に微細電流刺激を加える刺激部材と、を備える微細電流刺激装置が配備され、前記微細電流刺激装置の胴体は袖の内部の一方の側に設けられ、前記刺激部材は人体の手首の経穴と皮膚に接触されるように表面に露出されるように設けられていることを特徴とする。
【００１２】
本発明は、内部に空間部が形成された筒状の胴体と、前記空間部の内部に組み込まれる円柱状の可動磁石と、前記胴体の外側面に設けられて前記可動磁石と相まって微細電流を発生するコイルと、前記胴体の両先端部に設けられて前記可動磁石の抜脱を防ぐカバーと、前記カバーの一方の側内面にそれぞれ設けられて前記可動磁石の極性と同じ極性を有する固定磁石と、前記コイルの両先端部に設けられて人体に刺激を加える刺激部材と、を備える微細電流刺激装置が配備され、前記微細電流刺激装置の胴体は袖の内部に設けられ、前記刺激部材は人体の手首の経穴と筋肉に接触されるように表面が外部に露出されるように設けられていることを特徴とする。
【００１３】
本発明は、前記胴体の一方の側には前記コイルの抜脱を防ぐ凹溝部が形成されていることを特徴とする。
【００１４】
本発明は、内部に空間部が形成され、底面が閉止されている胴体が配備され、前記胴体の底面には両先端部が刺激部材と接続される第１のコイルが固設され、前記第１のコイルの上面には可動磁石が配設され、前記胴体の先端部の上側には前記磁石の抜脱を防ぐカバーが設けられてなる微細電流刺激装置を備え、前記微細電流刺激装置の胴体は袖の内部に設けられ、前記刺激部材は人体の手首の経穴と皮膚に接触されるように表面に露出されるように設けられ、前記カバーの内側面に第２のコイルがさらに固設されることを特徴とする。
【００１５】
本発明は、前記胴体の一方の側には前記コイルの抜脱を防ぐ凹溝部が形成され、前記可動磁石とコイルとが相まって１０〜２００μＡの微細電流を発生することを特徴とする。
【００１６】
本発明における前記刺激部材は０．０１〜０．５ｍｍ厚さの導電性材質からなる板状の導電性シートまたは０．０１〜０．５ｍｍ厚さの導電性材質からなる、繊維状に製織されてなる導電性網が配備され、前記導電性シートおよび導電性網の上面に人体の手首の皮膚と接触される接触突起が突設されていることを特徴とする。
【発明の効果】
【００１７】
本発明は、手首の皮膚と直接的に接触がなされるシャツなどの上着の袖に人間が動いたり歩いたりして揺れが発生する場合、可動磁石と固定コイルとが相まって微細電流と磁場を半永久的に発生する微細電流刺激装置を内設して、手首の経穴と痛点および皮膚に微細電流刺激を加えて、手首筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立って人体に有益さを与えることができるという効果がある。
【００１８】
また、本発明は、 構造が簡単であり、安価である他、小型化が図れる結果、半永久的な寿命を有するだけではなく、バッテリーなどの別途の電源装置が不要になることにより、メンテナンスコストが全くかからないという効果がある。
【図面の簡単な説明】
【００１９】
【図１】本発明に係る微細電流刺激装置が内蔵された衣類の斜視図である。
【図２】図１のＥ−Ｅ線断面図である。
【図３】本発明に適用される微細電流刺激装置の一実施の形態を示す斜視図である。
【図４】図３に示される微細電流刺激装置の分解斜視図である。
【図５】図３に示される微細電流刺激装置のＡ−Ａ線およびＢ−Ｂ線断面図である。
【図６】図３に示される微細電流刺激装置の動作状態図である。
【図７】本発明に適用される微細電流刺激装置の他の実施形態を示す斜視図である。
【図８】図７に示される微細電流刺激装置の分解斜視図である。
【図９】図７に示される微細電流刺激装置のＣ−Ｃ線およびＤ−Ｄ線断面図である。
【図１０】図７に示される微細電流刺激装置の動作状態図である。
【図１１】図３から図６および図７から図１０に示される微細電流刺激装置における胴体の他の実施形態を示す断面図である。
【図１２】（イ）、（ロ）は、本発明に適用される微細電流刺激装置のさらに他の実施形態を示す分解斜視図および断面図である。
【図１３】（イ）、（ロ）は、図１２に示される微細電流刺激装置の他の実施形態を示す分解斜視図および断面図である。
【図１４】本発明に適用される微細電流刺激装置における刺激部材の他の実施形態を示す斜視図および断面図である。
【図１５】図１４に示される刺激部材の他の実施形態を示す斜視図および断面図である。
【図１６】図１４および図１５に示される他の実施形態の刺激部材が衣類の袖に設けられた状態の例示図である。
【発明を実施するための形態】
【００２０】
以下、添付図面の図１から図１６に基づき、本発明に係る微細電流刺激装置が内蔵された衣類を詳述する。
【００２１】
図１は、本発明に係る微細電流刺激装置が内蔵された衣類の斜視図であり、図２は、図１のＥ−Ｅ線断面図である。同図を参照すれば、衣類６０の袖７０の部分に腕を動かしたり振舞ったりする場合に、可動磁石と固定コイルとが相まって微細電流と磁場を半永久的に発生する微細電流刺激装置１０が内設され、前記袖７０の一方の側の所定の位置には、前記微細電流刺激装置１０から発生される微細電流を人体の手首部の経穴または皮膚に接触されて刺激を加える刺激部材１８、１９が表面に露出されるように設けられる。
【００２２】
図３は、本発明に適用される微細電流刺激装置の一実施の形態を示す斜視図であり、図４は、図３に示される微細電流刺激装置の分解斜視図であり、図５は、図３に示される微細電流刺激装置のＡ−Ａ線およびＢ−Ｂ線断面図であり、図６は、図３に示される微細電流刺激装置の動作状態図である。
【００２３】
すなわち、内部は空間部１６ａ−１が形成され、幅よりも高さの方が大きな長方形の胴体１６ａが配備され、前記胴体１６ａに形成された空間部１６ａ−１の内部には円板状の可動磁石１５ａが組み込まれ、前記胴体１６ａの外側面には可動磁石１５ａと相まって微細電流と磁場を発生するコイル１７が巻回される。
【００２４】
また、前記胴体１６ａの両先端部には、一方の側が閉止されて可動磁石１５ａの抜脱を防ぐカバー１１、１２が組み付けられ、前記コイル１７の両先端部には人体の手首の経穴および皮膚（筋肉）と接触されて刺激を加える刺激部材１８、１９が接続されている。
【００２５】
ここで、前記刺激部材１８、１９は、人体の手首と接触時に皮膚に損傷を与えない伝導性材質を用いることが好ましく、刺激部分に応じて種々に設けられるため、その数は限定されない。
【００２６】
以下、上記の構成を有する本発明の一実施の形態に係る微細電流刺激装置１０を衣類６０の袖７０に内設した状態において、電流刺激を与える過程を説明する。
【００２７】
まず、ユーザーが衣類６０を着用すれば、袖７０に内設されている刺激部材１８、１９が人体の手首の経穴または皮膚に接触することとなる。
【００２８】
この状態において、図５の（イ）に示されるように、ユーザーが腕を動かしたり振舞ったりしない静止状態の場合には、胴体１６ａの内部に組み込まれた可動磁石１５ａは動かない静止状態を維持することにより、コイル１７においては微細電流を発生しなくなる。
【００２９】
しかしながら、ユーザーが腕を振舞ったり歩いたりしている場合に、揺れと衝撃が微細電流刺激装置１０に伝わることにより、図６に示すように、胴体１６ａと地面との間に傾斜が発生し、その傾斜角によって可動磁石１５ａが胴体１６ａの内部に形成された空間部１６ａ−１内において前後動することとなる。
【００３０】
このとき、前記可動磁石１５ａが胴体１６ａの内部に形成された空間部１６ａ−１内において動くことにより、胴体１６ａの外側面に巻回されたコイル１７に誘導電流と磁場が発生し、この発生された誘導電流、すなわち、微細電流は刺激部材１８、１９に伝わって手首の経穴と皮膚に微細電流刺激を加えるとともに、磁場が周りに加えられることにより、前記刺激部材１８、１９を介して手首を刺激することとなる。
【００３１】
図７は、本発明に用いられる微細電流刺激装置１０の他の実施形態を示す斜視図であり、図８は、図７に示される微細電流刺激装置の分解斜視図であり、図９は、図７に示される微細電流刺激装置のＣ−Ｃ線およびＤ−Ｄ線断面図であり、図１０は、図７に示される微細電流刺激装置の動作状態図である。
【００３２】
すなわち、内部は空間部１６ｂ−１が形成された筒状の胴体１６ｂが配備され、前記胴体１６ｂの内部に形成された空間部１６ｂ−１には円柱状の可動磁石１５ｂが組み込まれ、前記胴体１６ｂの外側面には可動磁石１５ｂと相まって微細電流を発生するコイル１７が巻回される。
【００３３】
また、前記胴体１６ｂの両先端部には、一方の側が閉止されて可動磁石１５ｂの抜脱を防ぐカバー１１、１２が組み付けられ、このカバー１１、１２の一方の側の内面には前記可動磁石１５ｂの極性と同じ極性を有する固定磁石１３、１４がそれぞれ設けられ、前記コイル１７の両先端部には人体と接触されて刺激を加える導電性材質の刺激部材１８、１９が接続されている。
【００３４】
ここで、前記固定磁石１３、１４のガウス値は、可動磁石１５ｂのガウス値よりも極めて小さい必要がある。その理由は、固定磁石１３、１４のガウス値が可動磁石１５ｂのガウス値よりも大きな場合に、前記可動磁石１５ｂの上下動距離が短くなって所望の微細電流が得られないためである。
【００３５】
また、前記可動磁石１５ｂの先端部に対応する固定磁石１３、１４の極性は互いに同じ極性を有して反発力が作用して、揺れが発生しない場合には可動磁石１５ｂが固定磁石１３、１４との引力および反発作用によって可動磁石１５ｂが空間部１６ｂ−１の内部に浮き上がって動かない静止状態を維持することとなり、揺れ及び衝撃が伝われる場合には引力と反発力との間に不均衡が生じることにより、前記可動磁石１５ｂが胴体１６ｂの内部に形成された空間部１６ｂ−１内において上下動するようになっている。
【００３６】
以下、上記の構成を有する、本発明に適用される他の実施形態に係る微細電流刺激装置１０を衣類６０の袖７０に内設した状態において電流を刺激する過程を説明する。
【００３７】
まず、ユーザーが衣類６０を着用すれば、袖７０に内設された刺激部材１８、１９が人体の手首の経穴または皮膚に接触することとなる。
【００３８】
この状態において、図９の（イ）に示されるように、ユーザーが腕を動かしたり振舞ったりしない静止状態の場合には、胴体１６ｂの内部に組み込まれた可動磁石１５ｂは、固定磁石１３、１４によって互いに引力と反発力とが作用して空間部１６ｂ−１の内部に浮き上がっている静止状態を維持することにより、コイル１７においては微細電流がほとんど発生しなくなる。
【００３９】
しかしながら、ユーザーが腕を動かしたり歩いたりしている場合に、揺れと衝撃が微細電流刺激装置１０に伝わることにより、固定磁石１３、１４と可動磁石１５ｂとの間に形成された引力と反発力との間に不均衡が生じ、これにより、前記可動磁石１５ｂが胴体１６ｂの内部に形成された空間部１６ｂ−１内において上下動することとなる。
【００４０】
このとき、前記可動磁石１５ｂが胴体１６ｂの空間部１６ｂ−１内において上下動することによって、胴体１６ｂの外側面に巻回されたコイル１７に誘導電流と磁場が発生し、この発生した誘導電流、すなわち、微細電流は刺激部材１８、１９に伝わり、前記刺激部材１８、１９を介して人体の手首の経穴と筋肉を刺激すると共に、磁場が周りに加えられることとなる。
【００４１】
図１１は、図３から図６および図７から図１０に示される微細電流刺激装置１０における胴体１６ａ、１６ｂの他の実施形態を示すものであり、図１１の（イ）は、前記胴体１６ａ、１６ｂの一方の側の一部の面に段差部１６ｄが形成されることによって生成される凹溝部１６ｃが配備されるものであり、図１１の（ロ）は、前記胴体１６ａ、１６ｂの一方の側の前面に段差部１６ｄが形成されることにより生成される凹溝部１６ｃが配備されて、前記段差部１６ｄによってコイル１７が胴体１６ａ、１６ｂから滑脱することを防ぐためのものである。
【００４２】
図１２の（イ）、（ロ）は、本発明に用いられる微細電流刺激装置のさらに他の実施形態を示す分解斜視図および断面図であり、内部に空間部が形成され、底面が閉止されている胴体４１が配備され、この胴体４１の底面には所定の厚さに巻き取られて両先端部には刺激部材１８、１９が接続される第１のコイル４２が固設され、前記第１のコイル４２の上面には可動磁石４３が配設され、胴体４１の先端部の上側には前記磁石４３の抜脱を防ぐカバー４４が設けられている。
【００４３】
ここで、前記可動磁石４３は、左右動自在に第１のコイル４２とカバー４４の内面との間に適正な空間部４７を有する。
【００４４】
上記の構成を有する微細電流刺激装置１０を衣類６０の袖７０に内設した状態において、ユーザーが腕を動かしたり振舞ったりしない静止状態の場合には、微細電流刺激装置１０の傾斜が発生せず、可動磁石４３が第１のコイル４２の上において動かないことにより、第１のコイル４２においては微細電流がほとんど発生しなくなる。
【００４５】
しかしながら、ユーザーが腕を動かしたり歩いている場合に、揺れと衝撃が微細電流刺激装置１０に伝わることにより、微細電流刺激装置１０と地面との間に傾斜が発生し、傾斜角によって可動磁石４３が胴体４１の内部に形成された空間部４７内において動くこととなる。
【００４６】
このとき、前記可動磁石４３が第１のコイル４２の上面上において動くと、第１のコイル４２に誘導電流と磁場が発生し、この発生された誘導電流、すなわち、微細電流は図示しない刺激部材１８、１９に伝わると共に、磁場が周りに加えられることにより、前記刺激部材１８、１９を介して手首の経穴と筋肉などに微細電流刺激を加えることとなる。
【００４７】
図１３の（イ）、（ロ）は、図１２に示される微細電流刺激装置における他の実施形態を示す分解斜視図および断面図であり、内部に空間部４７が形成され、底面が閉止されている胴体４１が配備され、この胴体４１の底面には所定の厚さで巻き取られて両先端部には刺激部材１８、１９が接続される第１のコイル４２が固設され、前記第１のコイル４２の上面には可動磁石４３が配設され、胴体４１の先端部の上側には前記磁石４３の抜脱を防ぐカバー４４が設けられ、このカバー４４の内側面には第２のコイル４５が固設されるようになっている。
【００４８】
ここで、前記可動磁石４３は第１のコイル４２と第２のコイル４５との間において左右動自在に適正な空間部４７を有する。
【００４９】
上記の構成を有する、本発明の他の実施形態に係る微細電流刺激装置１０を衣類６０の袖７０に内設した状態において、ユーザーが腕を動かしたり振舞ったりしない静止状態の場合に、微細電流刺激装置１０には傾斜が発生せず、可動磁石４３が第１および第２のコイル４２、４５の間の空間部４７内において前後動しなくなり、これにより、第１及び第２のコイル４２、４５においては微細電流がほとんど発生しなくなる。
【００５０】
しかしながら、ユーザーが腕を動かしたり歩いたりして微細電流刺激装置１０と地面との間に傾斜が発生した場合、その発生した傾斜角によって可動磁石４３が胴体４１の内部に形成された空間部４７内において動くこととなる。
【００５１】
このとき、前記可動磁石４３が第１及び第２のコイル４２、４５の間において左右動すれば、第１及び第２のコイル４２、４５から同時に誘導電流と磁場が発生し、この発生した誘導電流、すなわち、微細電流は図示しない刺激部材１８、１９に伝わると共に、磁場が周りに加えられることにより、前記刺激部材１８、１９を介して手首の経穴および皮膚に微細電流刺激を加えることとなる。
【００５２】
このため、図１３の実施形態においては、可動磁石４３が第１及び第２のコイル４２、４５の間において動くことにより、図１２の実施形態のものよりも微細電流および磁場発生が一層多量生成可能となる。
【００５３】
前記図１２および図１３に示される本発明の他の実施形態に係る微細電流刺激装置１０は、説明の便宜上、胴体４１と、カバー４４と、可動磁石４３と、第１及び第２のコイル４２、４５と、を円形状に示しているが、その形状には特に制限がなく、実際に、衣類６０の袖７０に設けられる場合に、長方形に製作することが好ましい。
【００５４】
また、前記図１２および図１３に示される本発明の他の実施形態に係る微細電流刺激装置１０は、説明の便宜上、水平に置かれている状態として示されているが、実際に、衣類６０の袖７０に設けられる場合に、垂直状態に立てて内設することが好ましい。
【００５５】
本発明の図３から図６に示される実施形態と、図７から図１０に示される実施形態と、図１２および図１３に示される実施形態における微細電流刺激装置１０は、説明の便宜上、衣類６０の袖７０に設けることを例示しているが、前記微細電流刺激装置１０の設置位置には特に制限がなく、必要に応じて、上衣と下衣または下着のいずれに設けてもよい。
【００５６】
また、本発明の図３から図６に示される実施形態と、図７から図１０に示される実施形態と、図１２および図１３に示される実施形態における微細電流刺激装置１０から発生される微細電流は、人体の手首の経穴と筋肉を刺激することによる筋肉の収縮と弛緩の繰り返し作用によって運動効果を提供し、筋肉の乳酸を減少させて疲労をあまり感じさせず、酵素の変化によって酸化酵素活動を防ぐことができるだけではなく、筋肉における毛細血管の分布が増加するに伴い、抹消血管が拡張されて血流増進はもとより、成長板の刺激を通じて身長成長の促進できるように数十〜数百μＡが出力される必要があり、これは、前記可動磁石１５ａ、１５ｂ、４３のガウス値とコイル１７、４２、４５の巻き数を調節して所望の微細電流が得られる。
【００５７】
一般に、人体筋肉の収縮と弛緩の繰り返し作用によって運動効果を提供し、筋肉の乳酸を減少させて疲労をあまり感じさせて、酵素の変化によって酸化酵素活動を防ぎ、筋肉における毛細血管の分布増加によって抹消血管が拡張されて血流増進を期待することができ、人体の成長板を刺激することによる身長成長を促進できる好適な微細電流は、約１０〜２００μＡであり、前記可動磁石１５ａ、１５ｂ、４３は、５００〜３、０００ガウス、コイル１７、４２、４５は、５００〜２０、０００巻である場合に本発明の微細電流刺激装置１０から１０〜２００μＡの範囲の微細電流が発生されることを実験結果を通じて確認することができた。
【００５８】
ここで、可動磁石１５ａ、１５ｂ、４３のガウス値とコイル１７、４２、４５の巻き数は、所望の微細電流の発生度によるため、その範囲は制限しない。
【００５９】
特に、図３から図６に示される実施形態と、図７から図１０に示される実施形態と、図１２および図１３に示される実施形態における微細電流刺激装置１０は、腕の揺れの距離が長いか、揺れの周期が短いか、あるいは、ジョギングなどによって地面との衝撃が大きいほど、可動磁石１５ａ、１５ｂ、４３の可動範囲が広がり、しかも、移動速度が速まることにより、微細電流と磁場の値はさらに高く出力されて筋肉の乳酸減少などの効果は極大化され得る。
【００６０】
図１４は、本発明に適用される微細電流刺激装置１０における刺激部材１８、１９の他の実施形態を示す斜視図および断面図であり、図１５は、刺激部材１８、１９のさらに他の実施形態を示す斜視図および断面図であり、図１６は、図１４および図１５に示される他の実施形態の刺激部材１８、１９を衣類６０の袖７０に設けた状態を示すものである。
【００６１】
すなわち、図１４の（イ）、（ロ）に示すように、０．０１〜０．５ｍｍ厚さの導電性材質からなる板状の導電性シート５１が配備され、前記導電性シート５１の上面に人体の手首の皮膚と接触される接触突起５２が突設されている構造となっている。
【００６２】
また、図１５に示すように、０．０１〜０．５ｍｍ厚さの導電性材質からなる、繊維状に製織されてなる導電性網５３が配備され、前記導電性網５３の上面に人体の手首の皮膚と接触される接触突起５２が突設されている構造となっている。
【００６３】
前記導電性シート５１および導電性網５３の材質としては、電気抵抗値が極めて低い金、銀、銅などが使用可能であるが、経済的な側面から、銅を用いることが好ましく、その種類には限定がなく、前記導電性シート５１および導電性網５３に形成されている接触突起５２は、底面のプレス工程によって形成する。
【００６４】
このように、図１４および図１５に示される他の実施形態の刺激部材１８、１９は、図１６に示すように、衣類６０の袖７０の内部に縫着し、このとき、前記接触突起５２は外部に露出させることにより、広い面積の人体の手首の皮膚に同時多発的に微細電流刺激と磁場が加えられて効率性が高められるだけではなく、縫着可能であるというメリットがあり、様々な品目に適用可能である。
【００６５】
ここで、前記導電性シート５１および導電性網５３は、厚さ０．０１ｍｍ未満に形成する場合に、衣類６０の洗濯時に引きちぎれるといった破損が懸念され、厚さ０．５ｍｍ以上に形成する場合、値段が上がると共に荷重が増大して柔軟性が低下する結果、人体に損傷を与えてしまうという不都合があるため、０．０１〜０．５ｍｍの範囲の厚さを有することが好ましい。
【００６６】
以上述べたように、本発明は、微細電流と磁場を半永久的に発生する微細電流刺激装置を衣類の袖に内設して、手首筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立って人体に有益さを与えることができる。
【産業上の利用可能性】
【００６７】
本発明は、微細電流と磁場を半永久的に発生する微細電流刺激装置を内設して、手首筋肉の収縮と弛緩の繰り返し作用により運動効果を提供し、筋肉の乳酸を低減させて疲労をあまり感じさせず、酵素の変化によって酸化酵素活動を防ぐことができるだけではなく、筋肉における毛細血管の分布が増大するに伴い抹消血管が拡張されて血流増進に役立つものとなり、その結果、産業上に利用可能なものとなる。
【符号の説明】
【００６８】
１０：微細電流刺激装置
１１、１２：カバー
１３、１４：固定磁石
１５ａ、１５ｂ：可動磁石
１６ａ、１６ｂ：胴体
１６ｃ：凹溝部
１６ｄ：段差部
１７：コイル
１８、１９：刺激部材
４１：胴体
４２：第１のコイル
４３：可動磁石
４４：カバー
４５：第２のコイル
４７：空間部
５１：導電性シート
５２：接触突起
５３：導電性網
６０：衣類
７０：袖
【図１】
0005541472.tif 000002
【図２】
0005541472.tif 000003
【図３】
0005541472.tif 000004
【図４】
0005541472.tif 000005
【図５】
0005541472.tif 000006
【図６】
0005541472.tif 000007
【図７】
0005541472.tif 000008
【図８】
0005541472.tif 000009
【図９】
0005541472.tif 000010
【図１０】
0005541472.tif 000011
【図１１】
0005541472.tif 000012
【図１２】
0005541472.tif 000013
【図１３】
0005541472.tif 000014
【図１４】
0005541472.tif 000015
【図１５】
0005541472.tif 000016
【図１６】
0005541472.tif 000017